(57)【要約】【課題】誤って液体を溢しても内部のマザーボードにダメージを与えることのない防水型キーボードを提供する。【解決手段】サポートプレート８０の下にボトムプレート９０を配置し、サポートプレート８０（および被膜回路板７０）のスルーホール７１（および開口８１）にボトムプレート９０のノード９１を貫通させ、組立後にスルーホール又は開口をノード９１でリベット加工することにより開口をなくして防水型キーボード１００を得る。【選択図】図１
0003102695.tif 000002
【実用新案登録請求の範囲】
【請求項１】
底面の両側に上固定部が設けられた複数のキーと、該各キーに設けられる上ピボット部および下ピボット部を有するハサミフレームと、コンタクト押圧部を有する弾性コンタクトボディと、第１スルーホールを有する被膜回路板と、第１開口および下固定部を有するサポートプレートと、複数のスタンピングされたノードを有するボトムプレートとを備え、
該ボトムプレートは前記サポートプレートの下側に配置され、前記ボトムプレートのスタンピングされたノードは前記サポートプレートの対応する第１開口を貫通し、前記ボトムプレートおよびサポートプレートはリベット加工され、前記被膜回路板は前記サポートプレートの上に配置されることを特徴とする防水型キーボード。
【請求項２】
光遮蔽プレートが更に設けられることを特徴とする請求項１に記載の防水型キーボード。
【請求項３】
前記被膜回路板は、上層、中層および下層よりなることを特徴とする請求項１に記載の防水型キーボード。
【請求項４】
前記被膜回路板の上に黒又は暗い印刷面が印刷されていることを特徴とする請求項３に記載の防水型キーボード。
【請求項５】
前記サポートプレートの第１開口は、略円形であることを特徴とする請求項１に記載の防水型キーボード。
【請求項６】
前記サポートプレートの第１開口には、複数のノッチが形成されていることを特徴とする請求項１に記載の防水型キーボード。
【請求項７】
複数のキーと、該キー毎に設けられる複数のハサミフレームおよび弾性コンタクトボディと、第１開口を有するサポートプレートと、第２スルーホールを有する被膜回路板と、複数のスタンピングされたノードを有するボトムプレートとを備え、
前記被膜回路板は前記ボトムプレートおよび前記サポートプレート間に配置され、前記スタンピングされたノードは前記被膜回路板の前記第２スルーホールおよび前記サポートプレートの対応する第１開口を貫通し、前記ボトムプレート、前記被膜回路板および前記サポートプレートはリベット加工されることを特徴とする防水型キーボード。
【請求項８】
前記キーの底面の両側に上固定部が設けられることを特徴とする請求項７に記載の防水型キーボード。
【請求項９】
前記ハサミフレームには、それぞれ上ピボット部および下ピボット部が設けられることを特徴とする請求項７に記載の防水型キーボード。
【請求項１０】
前記弾性コンタクトボディには、コンタクト押圧部が設けられることを特徴とする請求項７に記載の防水型キーボード。
【請求項１１】
光遮蔽プレートが更に設けられることを特徴とする請求項７に記載の防水型キーボード。
【請求項１２】
前記サポートプレートには、第２開口および下固定部が設けられることを特徴とする請求項７に記載の防水型キーボード。
【請求項１３】
前記被膜回路板は、上層、中層および下層により構成されることを特徴とする請求項７に記載の防水型キーボード。
【請求項１４】
前記被膜回路板の上面には、黒又は暗い印刷面が印刷されていることを特徴とする請求項１３に記載の防水型キーボード。
【考案の詳細な説明】
【技術分野】
【０００１】
本考案はキーボードに関し、特にパーソナルコンピュータ（ＰＣ）等においてデータや指令等の入力に使用される防水型のキーボードに関する。
【背景技術】
【０００２】
一般的なノートブック型コンピュータ１０は、図５に示す如き構成であり、パネル（表示装置）２０、キーボード３０およびベース（基部）４０により構成される。ここで、パネル２０およびベース４０は、ヒンジにより一体的に連結されている。キーボード３０は、ベース４０上に取り付けられ、表面にＣＰＵ（中央演算処理装置）等の電子デバイスが実装されたマザーボード（図示せず）がベース４０の内部に収容されている。マザーボードは、キーボード３０の下方に配置されている。
【０００３】
図６乃至図１０にそれぞれ全体斜視図、全体上面図、全体底面図、全体側断面図およびその拡大図で示す如く、キーボード３０は、複数のキー３１、これら複数のキー３１を支持および固定するために複数のキー３１の下方に配置されたエラスチック（又は弾性）層３３、このエラスチック層３３の下に取り付けられた回路板層３４およびこの回路板層３４の下に配置されたボトムプレート（底板）３５により構成される。このボトムプレート３５は、キー３１、エラスチック層３３および回路板層３４を固定し、４辺にフランジ３７を有する。
【０００４】
図８に最もよく示す如く、ボトムプレート３５には、スタンピング（打ち抜き）により形成された複数の開口３６が分布されている。このプロセスでラグ又は突起状部（図示せず）が形成され、キー３１、エラスチック層３３および回路板層３４が固定される。エラスチック層３３および回路板層３４には、それぞれボトムプレート３５の開口３６に対応する孔が形成され、キー３１、エラスチック層３３および回路板層３４が、ボトムプレート３５に取り付けられたラグにより係合および固定され一体化される。更に、ボトムプレート３５には、多数のねじ（図示せず）が配置され、キーボード３０をベース４０の上にロックし、キーボード３０およびベース４０内のマザーボード間に所定の間隔を維持する。
【０００５】
キーボードの構成は周知技術であるので、ここでこれ以上の説明は必要ないと思料する。コンピュータのユーザは、キー３１を押下して操作するので、キー３１、エラスチック層３３および回路板層３４を支持するボトムプレート３５は、金属等の硬質且つ堅牢な材料で製造する必要がある。これにより、ユーザが押下する力に耐え且つキーボード３０の曲がりおよび変形を防止する。
【考案の開示】
【考案が解決しようとする課題】
【０００６】
上述の如き従来技術において、ボトムプレート３５の開口３６は、従来のスタンピングにより形成され、ラグが貫通し、キー３１、エラスチック（弾性）層３３および回路板層３４を係合固定する必要がある。このボトムプレート３５には複数の開口３６が分布するので、ユーザが誤って液体をキーボード３０の上に溢すと、液体はキーボード３０の開口に沿ってキーボード３０の下方のマザーボードに向けて下方へ流れる。従って、マザーボード３０にダメージを生じさせてキーボード３０を動作不能にする虞があった。
【０００７】
本考案は、従来のキーボードの上述の如き課題に鑑みなされたものであり、ボトムプレートのスタンピングされたノードは、サポートプレートの開口でリベット加工し、キーボードのボトムプレートの下方のマザーボードが、キーボード内に誤って液体が侵入することによりダメージを受けるのを阻止することを１つの目的とする。
【０００８】
本考案の他の目的は、ボトムプレートをサポートプレートによりリベットして、被膜回路板をサポートプレートの上に配置し、被膜回路板が全体の組立を容易且つ安定にする防水型キーボードを提供することである。
【０００９】
本考案の更に他の目的は、ボトムプレートのスタンピングされたノードが、被膜回路板およびサポートプレートの開口によりリベットされ、キーボードから誤って侵入する液体によりマザーボードがダメージを受けるのを阻止する防水型キーボードを提供することである。
【課題を解決するための手段】
【００１０】
上述した課題を解消又は軽減して上述した目的を達成するために、本考案の防水型キーボードは、底面の両端に設けられた複数のキーと、これら各キーに設けられる上ピボット部および下ピボット部を有するハサミフレームと、コンタクト押圧部を有する弾性コンタクトボディと、第１スルーホールを有する被膜回路板と、第１開口および下固定部を有するサポートプレートと、複数のスタンピングされたノードを有するボトムプレートとを備え、このボトムプレートはサポートプレートの下側に配置され、ボトムプレートのスタンピングされたノードはサポートプレートの対応する第１開口を貫通し、ボトムプレートおよびサポートプレートはリベット加工され、被膜回路基板はサポートプレートの上に配置されることを特徴とする。本考案の好適実施例によると、光遮蔽プレートが更に設けられている。被膜回路板は、上層、中層および下層よりなる。被膜回路板の上に黒又は暗い印刷面が印刷されている。サポートプレートの第１開口は略円形である。サポートプレートの第１開口には複数のノッチが形成されている。
【００１１】
また、本考案の防水型キーボードは、複数のキーと、これらのキー毎に設けられる複数のハサミフレームおよび弾性コンタクトボディと、第１開口を有するサポートプレートと、第２スルーホールを有する被膜回路板と、複数のスタンピングされたノードを有するボトムプレートとを備え、被膜回路板はボトムプレートおよびサポートプレート間に配置され、スタンピングされたノードは被膜回路板の第２スルーホールおよびサポートプレートの対応する第１開口を貫通し、ボトムプレート、被膜回路板およびサポートプレートはリベット加工されることを特徴とする。本考案の好適実施例によると、キーの底面の両側に固定部が設けられている。ハサミフレームには、それぞれ上ピボット部および下ピボット部が設けられている。弾性コンタクトボディには、コンタクト押圧部が設けられている。光遮蔽プレートが更に設けられている。サポートプレートには、第２開口および下固定部が設けられている。被膜回路板は、上層、中層および下層により構成されている。被膜回路板の上面には、黒又は暗い印刷面が印刷されている。
【考案の効果】
【００１２】
本考案の防水型キーボードによると、次の如き実用上の顕著な効果が得られる。即ち、サポートプレートの下にノードが形成されたボトムプレートを配置し、ボトムプレートのノードをサポートプレートおよび被膜回路板の開口に挿入して、組立後にリベット加工するので、開口が完全に塞がれるので、誤ってキーボード上に溢した液体が内部のマザーボードに流れてダメージを与えることを効果的に阻止して、信頼性を改善する。また、サポートプレートおよびボトムプレートが一体化されるので、堅牢度を改善することが可能である。
【実施例１】
【００１３】
以下、本考案による防水型キーボードの好適実施例の構成および動作を、添付図面を参照して詳細に説明する。しかし、斯かる実施例は、本考案の単なる例示に過ぎず、何ら本考案を限定するものではないことに留意されたい。
【００１４】
先ず、図１は、本考案による防水型キーボードの好適（又は第１）実施例の主要部の断面図である。本考案による防水型キーボード１００は、複数のキー５０を備える（但し、図１中には１個のキーのみを示す）。各キー５０の下には、両側の上固定部５１、上ピボット部６１および下ピボット部６２を有するハサミ（又はシザー）フレーム６０およびコンタクト押圧部６４を有する弾性（エラスチック）コンタクトボディ６３を備える。被膜回路板７０は、上、中間および下回路板を備え、第１スルーホール７１が形成されている。この被膜回路板７０の上面には、黒又は暗い印刷面７３が印刷されている。サポートプレート（支持板）８０には、第１開口８１および下固定部８３を有する。そしてボトムプレート９０には、複数のスタンピングされたノード９１が配置されている。
【００１５】
更に、図１を参照すると、ハサミフレーム６０の上ピボット部６１は、キー５０の上固定部５１にピボット状に連結されている。弾性（エラスチック）コンタクトボディ６３は、キー５０および被膜状の回路板（被膜回路板）７０間に配置されている、ここで、印刷面７３は、被膜回路板７０に光遮蔽効果を与える。サポートプレート８０の下固定部８３は、被膜回路板７０の第１スルーホール７１を介してハサミフレーム６０の下ピボット部６２と係合する。サポートプレート８０は、第１開口８１を介してボトムプレート９０のスタンプされたノード９１と連結され、本考案の防水型キーボード１００を完成する。
【００１６】
次に、図２を参照して説明する。図２は、本考案による防水型キーボード１００のボトムプレート９０およびサポートプレート８０の部分断面図である。ここで、キー５０、ハサミフレーム６０、弾性コンタクトボディ６３および被膜回路板７０は省略している。ボトムプレート９０には、スタンピングされた複数のノード９１が形成されている。そして、サポートプレート８０には、スタンピングされたノード９１に対応する位置に第１開口８１を含んでいる。
【００１７】
図２（Ａ）は本考案による防水型キーボード１００における組立前の側断面図である。サポートプレート８０は、ボトムプレート９０の上に配置され、ボトムプレート９０のスタンピングされたノード９１は、サポートプレート８０の第１開口８１から突出する。その後、ボトムプレート９０のスタンピングされたノード９１サポートプレート８０の第１開口８１の両側でリベット加工され、その組立状態の断面図を図２（Ｂ）に示す。
【００１８】
次に、図３を参照して説明する。図３（Ａ）は、本考案による防水型キーボード１００のリベットされたボトムプレート９０およびサポートプレート８０の上図面を示す。サポートプレート８０の第１開口８１は、リベット加工された後に円形に形成され、スタンピングされたノード９１は完全に覆われ且つ第１開口８１に固着され、従ってボトムプレート９０およびサポートプレート８０は相互に連結される。
【００１９】
次に、図３（Ｂ）は、本考案による防水型キーボード１００のリベットされたボトムプレート９０およびサポートプレート８０の好適実施例の上面図である。複数のノッチ８４がサポートプレート８０の第１開口８１に取り付けられ、サポートプレート８０がボトムプレート９０にリベット加工されると、ボトムプレート９０は第１開口８１および第１開口８１のノッチ８４間の領域でサポートプレート８０に固着される。その結果、サポートプレート８０およびボトムプレート９０間のリベット加工は、容易に緩むことなく確実に固定される。
【００２０】
本考案の構成によると、ボトムプレート９０のスタンピングされたノードおよびサポートプレート８０間のリベット加工によると、ボトムプレート９０に開口又は間隙が形成されないので、キーボード３０に誤って液体を溢しても、キーボード３０の下側に配置されているマザーボードには何らダメージを生じさせない。更に、ボトムプレート９０およびサポートプレート８０間のリベット加工により、被膜回路板をサポートプレート８０の上に配置でき、全体の組立を容易にすると共に全体の安定度を一層改善する。
【実施例２】
【００２１】
次に、図４を参照して、本考案による防水型キーボードの第２実施例を説明する。図４は、本考案による防水型キーボード１００´の第２実施例の主要部の側断面図である。尚、上述の第１実施例の防水型キーボード１００に対応する構成要素には、同様の参照番号を付している。この防水型キーボード１００´は、複数のキー５０を備え（図４中には、１個のキーのみを示す）、各キー５０の下両側に上固定部５１および上ピボット部６１および下ピボット部６２を有するハサミフレーム６０が設けられている。更に、コンタクト押圧部６４を有するエラスチックコンタクトボディ６３が配置されている。また、サポートプレート８０は、第１開口８１、第２開口８２および下固定部８３を有する。被膜回路板７０は、第２貫通孔７２を有し、その上面には黒又は暗い印刷面７３が印刷されている。ボトムプレート９０は、複数のスタンピングされたノード９１を有する。
【００２２】
更に、図４を参照すると、ハサミフレーム６０の上ピボット部６１は、キー５０の上固定部５１にピボット連結されている。一方、ハサミフレーム６０の下ピボット部６２は、サポートプレート８０の下固定部８３と係合している。弾性コンタクトボディ６３は、キー５０およびサポートプレート８０間に配置されている。一方、被膜回路板７０は、サポートプレート８０およびボトムプレート９０間に配置され、印刷面７３が被膜回路板７０の上面を覆い、被膜回路板７０に遮光機能を付与する。キー５０を押下すると、ハサミフレーム６０の移動により、弾性コンタクトボディ６３が押下され、弾性コンタクトボディ６３のコンタクト押圧部６４がサポートプレート８０の第２開口８２を介して被膜回路板７０と接触し押圧する。そして、図２を参照して上述した好適又は第１実施例に設けられていると同様のリベット手段を採用する。ボトムプレート９０のスタンピングされたノード９１が被膜回路板７０の第２スルーホール７２およびサポートプレート８０の第２開口８１を通過した後、ボトムプレート９０のスタンピングされたノード９１がサポートプレート８０上にリベット加工される。これにより、本考案による第２実施例の防水型キーボード１００´が完成される。
【００２３】
以上、本考案による防水型キーボードの好適実施例の構成および動作を詳述した。しかし、斯かる実施例は、本考案の単なる例示に過ぎず、何ら本考案を限定するものではない。本考案の要旨を逸脱することなく、特定用途に応じて種々の変形変更が可能であること、当業者には容易に理解できよう。例えば、本考案の防水型キーボード１００又は１００´の上に遮光板を配置してもよい。
【図面の簡単な説明】
【００２４】
【図１】本考案による防水型キーボードの第１実施例の主要部の側断面図である。
【図２Ａ】図１に示す防水型キーボードのボトムプレートおよびサポートプレートの一部分の側断面図を示し、組立前の状態を示す。
【図２Ｂ】図１に示す防水型キーボードのボトムプレートおよびサポートプレートの一部分の側断面図を示し、組立後の状態を示す。
【図３Ａ】図２（Ｂ）に示すボトムプレートおよびサポートプレートの一部分の上面図を示し、その一具体例である。
【図３Ｂ】図２（Ｂ）に示すボトムプレートおよびサポートプレートの好適実施例の上面図の一部である。
【図４】本考案による防水型キーボードの第２実施例の主要部の側断面図である。
【図５】従来の典型的なノートブック型パーソナルコンピュータの斜視図である。
【図６】図５に示すコンピュータに使用されるキーボードの斜視図である。
【図７】図６に示すキーボードの上面図である。
【図８】図６に示すキーボードの底面図である。
【図９】図７に示すキーボードの線Ａ−Ａに沿う断面図である。
【図１０】図９に示すキーボードの一部分の拡大図である。
【符号の説明】
【００２５】
５０      キー
５１      上固定部
６０      ハサミフレーム
６３      弾性（エラスチック）コンタクトボディ
６４      コンタクト押圧部
７０      被膜回路板
７１      第１スルーホール
８０      サポートプレート
８１      第１開口
９０      ボトムプレート
９１      ノード
１００、１００´  防水型キーボード
【図１】
0003102695.tif 000003
【図２Ａ】
0003102695.tif 000004
【図２Ｂ】
0003102695.tif 000005
【図３Ａ】
0003102695.tif 000006
【図３Ｂ】
0003102695.tif 000007
【図４】
0003102695.tif 000008
【図５】
0003102695.tif 000009
【図６】
0003102695.tif 000010
【図７】
0003102695.tif 000011
【図８】
0003102695.tif 000012
【図９】
0003102695.tif 000013
【図１０】
0003102695.tif 000014